(57)【要約】  【課題】プラズマディスプレイなどから発せられる外来の赤外線を受信したときに発生するノイズを好適に検出してノイズの出力を防止できる赤外線受信装置を提供する。  【解決手段】復調回路２１は、赤外線ワイヤレスマイクロホン３から受信される赤外線信号から音声信号を復調する。非対称信号検出回路２３は、復調回路２１により復調された音声信号から非対称信号を検出する。出力制限回路２５は、非対称信号検出回路２３による非対称信号の検出結果に応じて音声信号の出力を制限する。出力制限回路２５は、非対称信号が検出されたときに音声出力をミュートしてよい。【選択図】  図１
2009135709.tif 000002
【特許請求の範囲】
【請求項１】
赤外線ワイヤレスマイクロホンから受信した赤外線信号から音声信号を復調する復調部と、
前記復調部により復調された音声信号から非対称信号を検出する非対称信号検出部と、
前記非対称信号検出部による前記非対称信号の検出結果に応じて前記音声信号の出力を制限する出力制限部と、
を備えたことを特徴とする赤外線受信装置。
【請求項２】
前記出力制限部は、前記非対称信号が検出されたときに音声の出力をミュートすることを特徴とする請求項１に記載の赤外線受信装置。
【請求項３】
前記非対称信号検出部は、前記音声信号の平均レベルを基準とした前記音声信号の偏りに基づいて前記非対称信号を検出することを特徴とする請求項１または２に記載の赤外線受信装置。
【請求項４】
前記音声信号の平均レベルを検出する平均レベル検出部と、
前記音声信号と前記平均レベルから前記音声信号の正波形レベルを検出する正波形レベル検出部と、
前記音声信号と前記平均レベルから前記音声信号の負波形レベルを検出する負波形レベル検出部と、
前記正波形レベルおよび前記負波形レベルの中間レベルを前記音声信号の偏りレベルとして検出する偏りレベル検出部と、
前記偏りレベルと前記平均レベルを比較して前記音声信号が非対称信号であるか否かを判定する非対称判定部と、
を備えたことを特徴とする請求項３に記載の赤外線受信装置。
【請求項５】
赤外線ワイヤレスマイクロホンから赤外線信号を受信する赤外線受信装置に設けられ、前記赤外線ワイヤレスマイクロホン以外から赤外線信号を受信したときに発生するノイズを検出する赤外線ノイズ検出装置であって、前記赤外線信号から復調された音声信号から、非対称信号を前記ノイズとして検出することを特徴とする赤外線ノイズ検出装置。
【請求項６】
入力音声から生成した赤外線信号を送信する赤外線ワイヤレスマイクロホンと、
前記赤外線ワイヤレスマイクロホンから前記赤外線信号を受信する赤外線受信装置とを備え、
前記赤外線受信装置は、
前記赤外線信号から音声信号を復調する復調部と、
前記復調部により復調された音声信号から非対称信号を検出する非対称信号検出部と、
前記非対称信号検出部による前記非対称信号の検出結果に応じて前記音声信号の出力を制限する出力制限部と、
を備えたことを特徴とする赤外線ワイレスマイクロホンシステム。
【請求項７】
赤外線ワイヤレスマイクロホンから赤外線信号を受信して音声信号を復調し、
復調された前記音声信号から非対称信号を検出し、
前記非対称信号の検出結果に応じて前記音声信号の出力を制限することを特徴とする赤外線受信処理方法。
【発明の詳細な説明】
【技術分野】
【０００１】
本発明は、赤外線ワイヤレスマイクロホンシステムに設けられる赤外線受信装置に関する。
【背景技術】
【０００２】
従来、赤外線ワイヤレスマイクロホンと赤外線受信装置で構成され、赤外線によって音声信号を送信する赤外線ワイヤレスマイクロホンシステムが知られている。赤外線ワイヤレスマイクロホンシステムは、赤外線を通さない程度の隔壁などがあれば混信を避けられるので、狭い範囲で同時に複数のシステムを使用する場合に有利である。このような特性を利用し、赤外線ワイヤレスマイクロホンシステムは、例えばカラオケ施設や会議施設などで便利に使用されている。
【０００３】
図７は、赤外線ワイヤレスマイクロホンシステムの構成を示している。図７の赤外線ワイヤレスマイクロホンシステム１０１において、赤外線ワイヤレスマイクロホン１０３は赤外線送信装置であり、入力音声から赤外線信号を生成して送信する。赤外線センサ１０５を介して赤外線受信装置１０７により赤外線信号が受信され、赤外線受信装置１０７の復調回路１０９が赤外線信号を復調して音声信号を生成する。音声信号は、パワーアンプ１１１にて増幅されて、スピーカ１１３から出力される。
【０００４】
このような赤外線ワイヤレスマイクロホンシステム１０１の赤外線受信装置１０７においては、赤外線ワイヤレスマイクロホン１０３以外から発せられる外来の赤外線によるノイズに対する対策が求められる。
【０００５】
強力なノイズ発生源としては、プラズマディスプレイが挙げられる。図７にも示される通り、カラオケ施設および会議施設などでは、赤外線ワイヤレスマイクロホンシステム１０１がプラズマディスプレイ１１５とともに設置されることが多い。プラズマディスプレイ１１５が発光する赤外線が、赤外線ワイヤレスマイクロホン１０３の赤外線信号に干渉すると、赤外線受信装置１０７で復調される音声信号にノイズが混入し、このノイズがスピーカ１１３から出力されてしまう。従来は、プラズマディスプレイ１１５と赤外線受信装置１０７の位置関係の調整によってノイズを防いでいるが、それだけでは万全とはいえない場合もあり得る。
【０００６】
そこで、プラズマディスプレイによるノイズに対処するための技術が従来より提案されている（特許文献１）。この従来技術は、復調された音声信号をフィルタリングして、プラズマディスプレイの水平同期周波数の信号成分を抽出する。抽出された信号成分がしきい値以上であれば、音声出力が減衰または遮断される。こうして、プラズマディスプレイの赤外線によるノイズが検出されて、ノイズの出力が制限される。
【特許文献１】特開２００５−６２６１号公報
【発明の開示】
【発明が解決しようとする課題】
【０００７】
しかしながら、従来の赤外線受信装置においては、復調信号のフィルタリングによってプラズマディスプレイの水平同期周波数の信号成分を抽出しており、この抽出成分がノイズの指標として用いられており、つまり間接的な検出を行っている。したがって、復調信号波形そのものがプラズマディスプレイの赤外線によるノイズを含むか否かを検出するといった直接的な検出はできず、そのために確実性に劣るという問題があった。これに対して、復調信号波形そのものにおけるプラズマディスプレイに起因するノイズの特徴に着目した直接的な検出処理を行うことができれば、より確実な検出を行うことができると考えられる。
【０００８】
また、従来の赤外線受信装置は、プラズマディスプレイの水平同期周波数に着目しているので、プラズマディスプレイの赤外線によるノイズしか検出できない。他の周波数のノイズは検出できず、まして、非周期性のノイズの検出は全く不可能であり、検出できるノイズが大きく制約されるという問題があった。
【０００９】
本発明は、従来の問題を解決するためになされたもので、その目的は、プラズマディスプレイなどから発せられる外来の赤外線を受信したときに発生するノイズを好適に検出して、不要なノイズの出力を防止できる赤外線受信装置を提供することにある。
【課題を解決するための手段】
【００１０】
本発明の赤外線受信装置は、赤外線ワイヤレスマイクロホンから受信した赤外線信号から音声信号を復調する復調部と、前記復調部により復調された音声信号から非対称信号を検出する非対称信号検出部と、前記非対称信号検出部による前記非対称信号の検出結果に応じて前記音声信号の出力を制限する出力制限部とを備えている。
【００１１】
この構成により、復調された音声信号から非対称信号が検出され、検出結果に応じて音声出力が制限される。通常の音声信号が対称信号であるのと異なり、プラズマディスプレイからの赤外線を受信したときの音声信号が非対称信号であることに着目しており、これにより、プラズマディスプレイのノイズを確実に検出することができる。また、非対称波形のノイズであれば、プラズマディスプレイ以外からの赤外線によるノイズも検出でき、そして、従来は不可能であった非周期性のノイズをも検出できる。こうして、プラズマディスプレイなどから発せられる外来の赤外線を受信したときに発生するノイズを好適に検出して、不要なノイズの出力を防止することができる。
【００１２】
また、本発明の赤外線受信装置において、前記出力制限部は、前記非対称信号が検出されたときに音声の出力をミュートする。この構成によりノイズがスピーカから出力されるのを防止できる。
【００１３】
また、本発明の赤外線受信装置において、前記非対称信号検出部は、前記音声信号の平均レベルを基準とした前記音声信号の偏りに基づいて前記非対称信号を検出する。この構成により、音声信号が非対称信号であることを好適に検出できる。
【００１４】
また、本発明の赤外線受信装置は、前記音声信号の平均レベルを検出する平均レベル検出部と、前記音声信号と前記平均レベルから前記音声信号の正波形レベルを検出する正波形レベル検出部と、前記音声信号と前記平均レベルから前記音声信号の負波形レベルを検出する負波形レベル検出部と、前記正波形レベルおよび前記負波形レベルの中間レベルを前記音声信号の偏りレベルとして検出する偏りレベル検出部と、前記偏りレベルと前記平均レベルを比較して前記音声信号が非対称信号であるか否かを判定する非対称判定部とを備えている。
【００１５】
この構成により、音声信号が非対称信号であることを好適に検出できる。従来は音声信号が対称信号であることを前提としていたので、上記のように音声信号を正負に分けて処理することは考えられていなかった。本発明は、ノイズの非対称性に着目して音声信号を正負に分けるといったこれまでにない構成を採用することにより、ノイズを好適に検出できる。
【００１６】
本発明の別の態様は、赤外線ノイズ検出装置であり、この装置は、赤外線ワイヤレスマイクロホンから赤外線信号を受信する赤外線受信装置に設けられ、前記赤外線ワイヤレスマイクロホン以外から赤外線信号を受信したときに発生するノイズを検出する装置であって、前記赤外線信号から復調された音声信号から、非対称信号を前記ノイズとして検出する。
【００１７】
本発明の別の態様は、赤外線ワイヤレスマイクロホンシステムであり、このシステムは、入力音声から生成した赤外線信号を送信する赤外線ワイヤレスマイクロホンと、前記赤外線ワイヤレスマイクロホンから前記赤外線信号を受信する赤外線受信装置とを備え、前記赤外線受信装置は、前記赤外線信号から音声信号を復調する復調部と、前記復調部により復調された音声信号から非対称信号を検出する非対称信号検出部と、前記非対称信号検出部による前記非対称信号の検出結果に応じて前記音声信号の出力を制限する出力制限部とを備えている。
【００１８】
本発明の別の態様は、赤外線受信処理方法であり、この方法は、赤外線ワイヤレスマイクロホンから赤外線信号を受信して音声信号を復調し、復調された前記音声信号から非対称信号を検出し、前記非対称信号の検出結果に応じて前記音声信号の出力を制限する。
【発明の効果】
【００１９】
本発明は、復調された音声信号から非対称信号を検出し、検出結果に応じて音声出力を制限する構成を設けることにより、プラズマディスプレイなどから発せられる外来の赤外線を受信したときに発生するノイズを好適に検出して、不要なノイズの出力を防止できるという効果を有する赤外線受信装置を提供することができる。
【発明を実施するための最良の形態】
【００２０】
以下、本発明の実施の形態に係る赤外線受信装置について、図面を用いて説明する。
【００２１】
本発明の実施の形態に係る赤外線受信装置を含む赤外線ワイヤレスマイクロホンシステムを図１に示す。図１において、赤外線ワイヤレスマイクロホンシステム１は、入力音声から赤外線信号を生成して送信する赤外線送信装置である赤外線ワイヤレスマイクロホン３と、赤外線を検知する赤外線センサ５と、赤外線センサ５を介して赤外線ワイヤレスマイクロホン３から赤外線信号を受信して、赤外線信号から音声信号を復調する赤外線受信装置７と、赤外線受信装置７にて復調された音声信号を増幅するパワーアンプ９と、増幅された音声信号を出力するスピーカ１１とを備える。また、ワイヤレスマイクロホンシステム１は、プラズマディスプレイ１３と共に設置されている。
【００２２】
赤外線受信装置７は、図示のように、赤外線信号から音声信号を復調する復調回路２１に加えて、復調回路２１により復調された音声信号から非対称信号を検出する非対称信号検出回路２３と、非対称信号検出回路２３による非対称信号の検出結果に応じて音声信号の出力を制限する出力制限回路２５とを備える。非対称信号は、平均レベルに対して上下（正負）の波形が非対称な信号である。非対称信号検出回路２３は、赤外線受信装置７に設けられる赤外線ノイズ検出装置として機能する。出力制限回路２５は、非対称信号が検出されたときに音声出力をミュート制御する。
【００２３】
図２（ａ）は、通常の音声信号の波形を示しており、図２（ｂ）は、プラズマディスプレイ１３から発光された赤外線を復調した場合の波形を示している。これらの図を用いて本発明のノイズ検出の原理を説明する。
【００２４】
図２（ａ）に示すように、通常の音声信号は概ね対称信号であり、すなわち、平均レベル（ＤＣバイアス成分）に対して正側波形と負側波形とが対称である。一方、図２（ｂ）に示すように、プラズマディスプレイ１３からの赤外線を復調すると、復調信号が非対称信号になり、すなわち、平均レベル（ＤＣバイアス成分）に対して偏りが生じて、正側波形と負側波形が非対称になる。一般には、復調信号が正側に偏る。プラズマディスプレイ１３の赤外線の信号レベルは大きいので、この赤外線が受信されると、復調信号の波形は、図２（ｂ）の波形に通常の音声信号の波形が載ったかたちになる。
【００２５】
このようにプラズマディスプレイ１３からの赤外線が上下非対称波形となるのは、以下の理由による。すなわち、音声信号は、平均レベルを中心周波数としてＦＭ変調し、復調回路２１にてＦＭ変調と同じ周波数でＦＭ復調するため、音声信号の平均レベルが変調前の音声信号と一致し、音声信号の平均レベルに対する上下対称性が維持される。これに対して、プラズマディスプレイ１３からの信号は意図しないもののため、ＦＭ復調する周波数に対し周波数が上側または下側に偏った信号となり、結果としてＦＭ復調すると平均レベルからずれた上下非対称波形となる。
【００２６】
本実施の形態では、上記のプラズマディスプレイ１３からの赤外線の特徴に着目し、非対称信号検出回路２３が、音声信号から非対称信号を検出することにより、プラズマディスプレイ１３からの赤外線の有無を検出する。
【００２７】
図３は、赤外線受信装置７の構成を示しており、特に非対称信号検出回路２３の詳細な構成を示している。図示のように、非対称信号検出回路２３は、平均レベル検出回路３１、正波形レベル検出回路３３、負波形レベル検出回路３５、偏りレベル検出回路３７および非対称判定回路３９を有する。
【００２８】
平均レベル検出回路３１には、復調回路２１から復調された音声信号が入力される。平均レベル検出回路３１は、平均化処理を行うことによって音声信号の平均レベル（ＤＣバイアス成分）を検出する。
【００２９】
正波形レベル検出回路３３には、復調回路２１から復調信号が入力されるとともに、平均レベル検出回路３１から平均レベルが入力される。正波形レベル検出回路３３は、音声信号と平均レベルから、音声信号の正波形レベルを検出する。正波形レベルは、正波形（平均レベルに対して正側（上側）の波形）の平均レベルである。この際、正波形レベル検出回路３３は、まず、音声信号から平均レベルより小さい信号を取り去り、平均レベル以上の信号を抽出することにより、正波形を得る。そして、正波形レベル検出回路３３は、平均化処理によって正波形の平均レベルを算出する。
【００３０】
負波形レベル検出回路３５にも、復調回路２１から復調信号が入力されるとともに、平均レベル検出回路３１から平均レベルが入力される。負波形レベル検出回路３５は、音声信号と平均レベルから、音声信号の負波形レベルを検出する。負波形レベルは、負波形（平均レベルに対して負側（下側）の波形）の平均レベルである。この際、負波形レベル検出回路３５は、まず、音声信号から平均レベルより大きい信号を取り去り、平均レベル以下の信号を抽出することにより、負波形を得る。そして、負波形レベル検出回路３５は、平均化処理によって負波形の平均レベルを算出する。
【００３１】
偏りレベル検出回路３７には、正波形レベル検出回路３３から正波形レベルが入力されるとともに、負波形レベル検出回路３５から負波形レベルが入力される。偏りレベル検出回路３７は、これら正波形レベルおよび負波形レベルの中間レベルを音声信号の偏りレベルとして検出する。
【００３２】
非対称判定回路３９には、平均レベル検出回路３１から平均レベルが入力されるとともに、偏りレベル検出回路３７から偏りレベルが入力される。非対称判定回路３９は、偏りレベルと平均レベルを比較して音声信号が非対称信号であるか否かを判定する。この際、非対称判定回路３９は、偏りレベルと平均レベルが一致せず、両レベルが異なれば、音声信号が非対称信号であると判定する。より詳細には、非対称判定回路３９では、平均レベルの上下にしきい値が設定される。そして、偏りレベルが上下のしきい値の間の値であれば、音声信号が対称信号であると判定される。そうでなければ、音声信号が非対称信号であると判定される。
【００３３】
図示のように、非対称判定回路３９は、正しきい値設定回路４１、負しきい値設定回路４３、正比較器４５、負比較器４７およびＯＲ回路４９を有する。
【００３４】
正しきい値設定回路４１は、正しきい値（平均レベルに対して正側のしきい値）を設定する。予め設定された値を平均レベルに加算することにより、正しきい値が設定される。同様に、負しきい値設定回路４３は、負しきい値（平均レベルに対して負側のしきい値）を設定する。予め設定された値を平均レベルから減算することにより、負しきい値が設定される。
【００３５】
正比較器４５は、偏りレベルと正しきい値を比較し、比較結果をＯＲ回路４９に出力する。負比較器４７は、偏りレベルと負しきい値を比較し、比較結果をＯＲ回路４９に出力する。
【００３６】
ＯＲ回路４９は、正比較器４５および負比較器４７からの入力を基に、音声信号が非対称信号であるか否かの判定結果を出力制限回路２５に出力する構成である。偏りレベルが正しきい値より大きいとの比較結果を正比較器４５が出力するか、偏りレベルが負しきい値より小さいとの比較結果を負比較器４７が出力すると、ＯＲ回路４９は、音声信号が非対称信号であることを示す信号を出力制限回路２５に送る。この信号に応答して出力制限回路２５はミュート制御を行う。偏りレベルが正しきい値以下であり、かつ、負しきい値以上であれば、ＯＲ回路４９は、音声信号が対称信号であるとの判定結果を出力制限回路２５に出力する。この信号に応答して出力制限回路２５は、ミュート制御を行うことなく音声信号を出力する。
【００３７】
以上に本実施の形態に係る赤外線受信装置７の構成について説明した。次に、赤外線受信装置７の動作について、図４を参照して説明する。
【００３８】
赤外線センサ５を介して赤外線信号が受信されると（Ｓ１）、復調回路２１により赤外線信号が復調されて音声信号Ａが得られる（Ｓ３）。そして、平均レベル検出回路３１により音声信号が平均化されて、平均化レベルＢが検出される（Ｓ５）。
【００３９】
正波形レベル検出回路３３は、音声信号Ａから平均レベルＢより小さい信号を取り去り、平均レベルＢ以上の信号を抽出することにより、正波形を検出する（Ｓ７）。さらに、正波形レベル検出回路３３は、正波形を平均化することにより、正波形レベルＣ（正波形の平均レベル）を検出する（Ｓ９）。
【００４０】
また、負波形レベル検出回路３５は、音声信号Ａから平均レベルＢより大きい信号を取り去り、平均レベルＢ以下の信号を抽出することにより、負波形を検出する（Ｓ１１）。さらに、負波形レベル検出回路３５は、負波形を平均化することにより、負波形レベルＤ（負波形の平均レベル）を検出する（Ｓ１３）。
【００４１】
次に、偏りレベル検出回路３７が、正波形レベルＣと負波形レベルＤの平均を計算することにより、偏りレベルＥを算出する（Ｓ１５）。
【００４２】
一方、正しきい値設定回路４１は、平均化レベルＢに所定のオフセット値[OFFSET(+)]を加算することにより、正しきい値Ｆを算出する（Ｓ１７）。また、負しきい値設定回路４３は、平均化レベルＢから所定のオフセット値[OFFSET(-)]を減算することにより、負しきい値Ｇを算出する（Ｓ１９）。
【００４３】
そして、正比較器４５により偏りレベルＥと正しきい値Ｆが比較され、偏りレベルＥが正しきい値より大きいか否かが判定される（Ｓ２１）。また、負比較器４７により偏りレベルＥと負しきい値Ｇが比較され、偏りレベルＥが負しきい値Ｇより小さいか否かが判定される（Ｓ２３）。
【００４４】
Ｓ２１またはＳ２３のいずれかの比較結果がＹＥＳであれば、音声信号が非対称信号である。そこで、出力制限回路２５の音声ミュート制御がオンになる（Ｓ２５）。Ｓ２１およびＳ２３の両方の比較結果がＮＯであれば、音声信号が対称信号である。この場合は、出力制限回路２５の音声ミュート制御がオフになり（Ｓ２５）、音声が出力される（Ｓ２７）。
【００４５】
図５および図６は、具体的な信号波形の処理例を示している。図５は通常の音声信号を処理しており、図６はプラズマディスプレイの赤外線から復調された波形を処理している。図中のグラフにおいて、横軸は時間であり、縦軸は電気信号レベルである。
【００４６】
図５に示すように、通常の音声信号は、平均レベル（バイアス）に対して概ね対称である。したがって、偏りレベル（正波形レベルと負波形レベルの中間値（中点））が平均レベルに近くなる。その結果、偏りレベルが、正しきい値と負しきい値の間の値になる。図では、正しきい値は、平均レベルよりａボルト大きい値に設定され（平均レベル＋ａ[Ｖ]）、負しきい値は平均レベルよりｂボルト小さい値に設定されている（平均レベル−ｂ[Ｖ]）。偏りレベルが上下のしきい値の範囲内なので、音声信号が対称信号であると判定され、音声ミュートはオフになり、音声がスピーカ１１から出される。
【００４７】
一方、図６に示すように、プラズマディスプレイからの赤外線を復調した場合、復調信号は、平均レベルに対して非対称である。そのため、偏りレベルが平均レベルから遠くなり、その結果、偏りレベルが、上下のしきい値の範囲外になる。一般には、図示のように復調信号が正側に偏るので、偏りレベルは正しきい値を超えた値になる。その結果、音声信号が非対称信号であると判定され、音声ミュートはオンになり、音声がスピーカ１１から出されなくなる。
【００４８】
以上に、本実施の形態に係る赤外線受信装置７の動作を説明した。上記の説明では、ノイズの原因になる赤外線として、専ら、プラズマディスプレイからの赤外線について説明した。しかし、本実施の形態の赤外線受信装置７は、非対称波形をもつ任意のノイズを検出でき、したがって、プラズマディスプレイ以外のノイズ源からの赤外線によるノイズも検出できる。すなわち、従来のようにプラズマディスプレイの水平同期周波数の信号成分を検出していないので、プラズマディスプレイの水平同期周波数と異なる周波数のノイズも検出でき、したがってプラズマディスプレイ以外のノイズも検出できる。さらには、周波数を検出指標にしていないので、従来技術では全く不可能だった非周期性ノイズ（周期を持たないノイズ）も検出できる。
【００４９】
非周期性のノイズ源は、例えば、蛍光灯である。蛍光灯と赤外線センサが近接してときにノイズが問題になり得る。蛍光灯からの赤外線を復調した信号は、周期性は持たないが、非対称信号であり、したがって、本実施の形態の赤外線受信装置７により検出できる。
【００５０】
ただし、本発明の範囲内で、本発明の赤外線受信装置は、プラズマディスプレイ以外のノイズ源からのノイズも検出するように構成されてもよいし、あるいは、プラズマディスプレイからのノイズを専ら検出するように構成されてもよい。これらのことはしきい値を最適化することにより実現できる。
【００５１】
以上に本発明の実施の形態に係る赤外線受信装置７について説明した。本実施の形態によれば、復調された音声信号から非対称信号が検出され、検出結果に応じて音声出力が制限される。通常の音声信号が対称信号であるのと異なり、プラズマディスプレイからの赤外線を受信したときの音声信号が非対称信号であることに着目しており、これにより、プラズマディスプレイのノイズを確実に検出することができる。また、非対称波形のノイズであれば、プラズマディスプレイ以外からの赤外線によるノイズも検出でき、そして、従来は不可能であった非周期性のノイズをも検出できる。こうして、プラズマディスプレイなどから発せられる外来の赤外線を受信したときに発生するノイズを好適に検出して、不要なノイズの出力を防止することができる。
【００５２】
また、本実施の形態によれば、非対称信号が検出されたときに音声の出力がミュートされる。これにより、ノイズがスピーカから出力されるのを防止できる。
【００５３】
また、本実施の形態によれば、音声信号の平均レベルを基準とした音声信号の偏りに基づいて非対称信号が検出される。これにより、音声信号が非対称信号であることを好適に検出することができる。
【００５４】
また、本実施の形態によれば、音声信号の平均レベルが検出され、音声信号と平均レベルから音声信号の正波形レベルが検出され、音声信号と平均レベルから音声信号の負波形レベルが検出され、正波形レベルおよび負波形レベルの中間レベルが音声信号の偏りレベルとして検出され、偏りレベルと平均レベルを比較して音声信号が非対称信号であるか否かが判定される。このような構成により、音声信号が非対称信号であることを好適に検出できる。従来は音声信号が対称信号であることを前提としていたので、上記のように音声信号を正負に分けて処理することは考えられていなかった。本発明は、ノイズの非対称性に着目して音声信号を正負に分けるといったこれまでにない構成を採用することにより、ノイズを好適に検出できる。
【００５５】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５６】
以上のように、本発明にかかる赤外線受信装置は、プラズマディスプレイなどから発せられる外来の赤外線を受信したときに発生するノイズを好適に検出して、不要なノイズの出力を防止できるという効果を有し、カラオケ施設などの赤外線ワイヤレスマイクロホンシステム等として有用である。
【図面の簡単な説明】
【００５７】
【図１】本発明の実施の形態における赤外線受信装置を含む赤外線ワイヤレスマイクロホンシステムのブロック図
【図２】（ａ）通常の音声信号の波形を示す図  （ｂ）プラズマディスプレイから発光された赤外線を復調した場合の波形を示す図
【図３】赤外線受信装置の構成を示すブロック図
【図４】赤外線受信装置の動作を示す図
【図５】通常の音声信号を処理する場合の具体的な処理例を示す図
【図６】プラズマディスプレイの赤外線から復調された信号を処理する場合の具体的な処理例を示す図
【図７】従来の赤外線ワイヤレスマイクロホンシステムを示す図
【符号の説明】
【００５８】
１  赤外線ワイヤレスマイクロホンシステム
３  赤外線ワイヤレスマイクロホン
５  赤外線センサ
７  赤外線受信装置
９  パワーアンプ
１１  スピーカ
１３  プラズマディスプレイ
２１  復調回路
２３  非対称信号検出回路
２５  出力制限回路
３１  平均レベル検出回路
３３  正波形レベル検出回路
３５  負波形レベル検出回路
３７  偏りレベル検出回路
３９  非対称判定回路
【図１】
2009135709.tif 000003
【図２】
2009135709.tif 000004
【図３】
2009135709.tif 000005
【図４】
2009135709.tif 000006
【図５】
2009135709.tif 000007
【図６】
2009135709.tif 000008
【図７】
2009135709.tif 000009